(57)【特許請求の範囲】
【請求項１】
電話回線にそれぞれ接続され、前記電話回線からの電力によって動作する電話機と、
スイッチをそれぞれ有する複数の前記電話回線を備え、前記電話回線の待機時に前記スイッチを切断する電話交換機と、を備え、
前記電話交換機は、外線から１つの前記電話回線へ着信すると、その１つの前記電話回線の前記スイッチを接続し、
前記電話機は、その１つの前記電話回線からの電力によって動作する待機電力削減電話システムであって、
前記電話機は、動作を開始したのちに起動を確認する起動確認信号を無線で送信し、
前記電話交換機は、前記スイッチを接続したのちに、前記無線を介して前記起動確認信号を受信すると、前記電話回線を介して呼出信号を送信することを特徴とする待機電力削減電話システム。
【請求項２】
電話回線にそれぞれ接続された電話機と、
スイッチをそれぞれ有する複数の前記電話回線を有し、前記電話回線の待機時に前記スイッチを切断する電話交換機と、
を備えた待機電力削減電話システムであって、
前記電話交換機は、外線から１つの前記電話回線へ着信すると前記電話回線への着信を通知する着信認識信号を前記無線で送信し、更に前記無線を介して前記起動確認信号を受信すると前記電話回線の前記スイッチを接続し、
前記電話機は、前記無線を介して前記着信認識信号を受信すると起動し、前記起動確認信号を前記無線で送信することを特徴とする待機電力削減電話システム。
【請求項３】
前記電話機は、振動を検知すると前記電話回線からの発信を通知する発信信号を前記無線で送信し、
前記電話交換機は、前記無線を介して前記発信信号を受信すると前記発信信号に係る前記電話回線の前記スイッチを接続することを特徴とする請求項１又は２に記載の待機電力削減電話システム。
【請求項４】
前記電話機は、前記発信信号を送信して起動すると前記起動確認信号を前記無線で送信し、
前記電話交換機は、前記無線を介して前記起動確認信号を受信すると前記起動確認信号に係る前記電話回線の前記スイッチを接続することを特徴とする請求項３に記載の待機電力削減電話システム。
【請求項５】
請求項３又は４に記載の待機電力削減電話システムにおいて、
前記電話機は更に、電池と、
振動を検知する振動検知手段と、を有し、
前記振動検知手段が振動を検知すると、前記電池が供給する電力によって前記無線で送信することを特徴とする待機電力削減電話システム。
【請求項６】
請求項３又は４に記載の待機電力削減電話システムにおいて、
前記電話機は、更に、振動で発電する振動発電手段を有し、
前記振動発電手段が発電した電力によって前記無線で送信することを特徴とする待機電力削減電話システム。
【請求項７】
請求項３又は４に記載の待機電力削減電話システムにおいて、
前記電話機は更に、電源からの電力を蓄える蓄電手段と、
振動を検知する振動検知手段と、を有し、
前記振動検知手段が振動を検知すると、前記蓄電手段が蓄えた電力によって前記無線で送信することを特徴とする待機電力削減電話システム。
【請求項８】
請求項７に記載の待機電力削減電話システムにおいて、
前記電源は、商用交流電源、前記電話回線、可視光を電力に変換する太陽電池、又は振動で発電する振動発電素子のいずれか１つであることを特徴とする待機電力削減電話システム。
【発明の詳細な説明】
【技術分野】
【０００１】
本発明は電話交換機と電話機を備えた待機電力削減電話システムに関するものである。
【背景技術】
【０００２】
従来、待機電力削減電話システムでは、通常運用状態において電話機は全ての機能を動作させ、待機状態において電話機は機能の一部を休止して発信や着信に係る最小限の監視を行う節電技術が知られていた。
【０００３】
特開２０００−２５３１７２号公報には、電話回線が接続されていない時には電源を遮断するモデムが記載されている。
【先行技術文献】
【特許文献】
【０００４】
【特許文献１】特開２０００−２５３１７２号公報
【発明の概要】
【発明が解決しようとする課題】
【０００５】
しかしながら、従来の待機電力削減電話システムに於ける電話機は、通常運用状態と待機状態の切替を行う為に電話機内部に状態監視回路と接点を持ち、接点を開閉するための状態監視回路は待機状態であっても電力を消費するという課題があった。これは、待機電力削減電話システムに収容される待機状態の電話機の状態監視回路すべての電力消費に係るものである。
【課題を解決するための手段】
【０００６】
本発明の待機電力削減電話システムは、電話回線にそれぞれ接続され、前記電話回線からの電力によって動作する電話機と、スイッチをそれぞれ有する複数の前記電話回線を備え、前記電話回線の待機時に前記スイッチを切断する電話交換機と、を備え、前記電話交換機は、外線から１つの前記電話回線へ着信すると、その１つの前記電話回線の前記スイッチを接続し、前記電話機は、その１つの前記電話回線からの電力によって動作する待機電力削減電話システムであって、前記電話機は、動作を開始したのちに起動を確認する起動確認信号を無線で送信し、前記電話交換機は、前記スイッチを接続したのちに、前記無線を介して前記起動確認信号を受信すると、前記電話回線を介して呼出信号を送信することを特徴とする。
本発明の他の待機電力削減電話システムは、電話回線にそれぞれ接続された電話機と、スイッチをそれぞれ有する複数の前記電話回線を有し、前記電話回線の待機時に前記スイッチを切断する電話交換機と、を備え、前記電話交換機は、外線から１つの前記電話回線へ着信すると前記電話回線への着信を通知する着信認識信号を前記無線で送信し、更に前記無線を介して前記起動確認信号を受信すると前記電話回線の前記スイッチを接続し、前記電話機は、前記無線を介して前記着信認識信号を受信すると起動し、前記起動確認信号を前記無線で送信することを特徴とする。
【発明の効果】
【０００７】
本発明の待機電力削減電話システムによれば、電話機は、待機時に電話交換機から電気的に切り離され全く電力を消費しない為に、従来の待機電力削減電話システムに比べて、大幅な節電が可能である。
【図面の簡単な説明】
【０００８】
【図１】図１は、本発明の実施例１における待機電力削減電話システムを示す概略の構成図である。
【図２】図２は、本発明の実施例１における接続動作のワークフローを示す図である。
【図３】図３は、図２の発信時の動作を示すフローチャートである。
【図４】図４は、図２の発信後の発信側切断時の動作を示すフローチャートである。
【図５】図５は、図２の発信後の着信側切断時の動作を示すフローチャートである。
【図６】図６は、図２の着信時の動作を示すフローチャートである。
【図７】図７は、図２の着信後の発信側切断時の動作を示すフローチャートである。
【図８】図８は、図２の着信後の着信側切断時の動作を示すフローチャートである。
【図９】図９は、従来技術と本発明の実施例１における給電チャートの概略例を示す図である。
【図１０】図１０は、本発明の実施例２における接続動作のワークフローを示す図である。
【図１１】図１１は、図１０の着信時の動作を示すフローチャートである。
【図１２】図１２は、本発明の実施例３における待機電力削減電話システムを示す概略の構成図である。
【図１３】図１３は、本発明の実施例３における接続動作のワークフローを示す図である。
【図１４】図１４は、図１３の発信時の動作を示すフローチャートである。
【図１５】図１５は、図１３の着信時の動作を示すフローチャートである。
【発明を実施するための形態】
【０００９】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１０】
（実施例１の構成）
図１は、本発明の実施例１における待機電力削減電話システムを示す概略の構成図である。
【００１１】
待機電力削減電話システムとは、ボタン電話システムやインターネットプロトコル電話（以下、「ＩＰ電話」という。）システム等であり、複数の電話機１０（＝１０−１〜１０−３）と、これらの電話機１０と電話回線３０でそれぞれ接続されている電話交換機２０とを有している。電話交換機２０とは、電子交換機やＩＰ−ＰＢＸ（Internet  Protocol  Private  Branch  eXchange）等である。
【００１２】
各電話機１０（＝１０−１〜１０−３）は、従来技術と同様に電話回線３０からの信号を受信すると共に電話回線３０からの給電を受ける回線インタフェース（以下「Ｉ／Ｆ」という。）部１１と、この回線Ｉ／Ｆ部１１からの給電を受けて動作する内部回路１２と、押しボタン等を有しダイヤル操作を行う操作部１３とを備え、更に、振動を検知する振動検知手段である振動受信部１４と、この振動受信部１４が振動を検知したときに動作する無線通信部１５とアンテナ１６とを備えている。
【００１３】
無線通信部１５とアンテナ１６は、アクティブ型の無線タグ(Radio  Frequency  IDentification)のプロトコルにより、非常に微弱な電力で数十メートルの距離の通信が可能である。振動受信部１４は、小型のボタン電池を内蔵し、電話機１０本体が起動していないときであっても、電話機１０の受話器のオフフックやボタンの押下げに伴う振動を検知する振動検知手段である。図示しない受話器は、送信用のマイクと受信音の発生用のスピーカを有している通話部である。
【００１４】
電話交換機２０は、従来技術と同様に、外線からの信号と各電話機１０（＝１０−１〜１０−３）からの信号とを送受信して制御する制御部２１と、制御部２１と複数の電話回線３０（＝３０−１〜３０−３）にそれぞれ接続され、電話信号を中継する機能を有する複数の回線Ｉ／Ｆ部２６（＝２６−１〜２６−３）と、制御部２１に電源を供給する電源部２４とを有している。この電話交換機２０は、更に各電話機１０（＝１０−１〜１０−３）の無線通信部１５と通信するための無線通信部２２及びアンテナ２３と、制御部２１から指示を受けて、それぞれの電話回線３０（＝３０−１〜３０−３）の接続と切断を制御する複数のスイッチ部２５（＝２５−１〜２５−３）とを有している。無線通信部２２及びアンテナ２３は、アクティブ型の無線タグのプロトコルを送受信する機能を有している。
【００１５】
制御部２１は、電源部２４によって電源の供給を受け、無線通信部２２と外線が接続されていると共に、複数のスイッチ部２５（＝２５−１〜２５−３）及び回線Ｉ／Ｆ部２６（＝２６−１〜２６−３）を介して複数の電話回線３０に接続されている。制御部２１は更に、複数のスイッチ部２５（＝２５−１〜２５−３）との間に制御信号がそれぞれ接続されており、スイッチ部２５を閉じて回線Ｉ／Ｆ部２６と接続するか、又はスイッチ部２５を開いて回線Ｉ／Ｆ部２６と切断するかをそれぞれ制御できる。例えば、スイッチ部２５−１を閉じたときには、電話回線３０−１は電話機１０−１に給電すると共に信号を送受信するが、スイッチ部２５−１を開いたときには、電話回線３０−１は、電話機１０−１へ給電せず、かつ電話機１０―１との信号の送受信は行わない。各電話機１０（＝１０−１〜１０−３）の無線通信部１５及びアンテナ１６は、無線通信路を介して電話交換機２０の無線通信部２２及びアンテナ２３と通信できる。
【００１６】
（実施例１の動作）
図２は、本発明の実施例１における接続動作のワークフローを示す図である。
【００１７】
例えば、電話機１０−１から発信する場合には、時刻Ｗ２において、電話機１０−１の受話器のオフフックやボタン押下げに伴う振動が発生したとき、その振動を振動受信部１４の振動センサが検知して無線通信部１５に無線の送信を指示し、無線通信部１５はアンテナ１６を介して無線の発信信号を送信する。
【００１８】
時刻Ｗ６において、電話交換機２０は、その無線の発信信号を受信したならば、スイッチ部２５−１を閉じることにより、電話機１０−１との回線を接続する。以降は従来技術と同様に、時刻Ｗ１０において、電話機１０−１はオフフックに伴い通常運用状態に遷移し、発呼信号を電話交換機２０に送信する。時刻Ｗ２０において、電話交換機２０は、発信音を電話機１０−１に送信し、ダイヤル受信待ち状態になる。時刻Ｗ３０において、電話機１０−１は、ダイヤルが押されるとダイヤル信号を電話交換機２０に送信し、電話交換機２０は受信したダイヤル信号をもとにパス接続処理を行う。時刻Ｗ４０において、電話交換機２０は、電話機１０−１に呼出音を送信する。時刻Ｗ５０において、電話交換機２０は電話機１０−１に応答信号を送信し、通信中に遷移する。
【００１９】
例えば、通信中に発信側の電話機１０−１から切断する場合には、時刻Ｗ６０において、電話機１０−１はオンフックに伴い、切断信号を電話交換機２０に送信して待機状態に遷移し、電話交換機２０はパス切断処理を行う。時刻Ｗ６２において、電話交換機２０は、発信側の電話機１０−１に係るスイッチ部２５−１を開くことにより、電話機１０−１との電話回線３０−１を切断する。
【００２０】
例えば、通信中に着信側の電話機１０−２から切断された場合には、時刻Ｗ９０において、電話交換機２０は、パス切断処理を行うと共に発信側の電話機１０−１に話中音を送信する。時刻Ｗ１００において、発信側の電話機１０−１はオンフックに伴い切断信号を電話交換機２０に送信して待機状態に遷移する。時刻Ｗ１０２において、電話交換機２０は、発信側の電話機１０−１に係るスイッチ部２５−１を開くことにより、電話機１０−１との電話回線３０−１を切断する。
【００２１】
例えば、電話機１０−２へ着信した場合には、時刻Ｗ３６において、電話交換機２０は、電話機１０−２に係るスイッチ部２５−２を閉じることにより、電話機１０−２との電話回線３０−２を接続する。以降は従来技術と同様に、時刻Ｗ４０において、電話交換機２０は、電話機１０−２に呼出信号を送信し、電話機１０−２は通常運用状態に遷移して呼出音を鳴らす。電話機１０−２は、オフフックに伴う応答信号を電話交換機２０に送信し、通信中に遷移する。
【００２２】
例えば、通信中に発信側の電話機１０−１から切断された場合には、時刻Ｗ６０において、電話交換機２０は、バス切断処理と共に切断信号を電話機１０−２に送信したのち、時刻Ｗ７０において話中音を送出する。時刻Ｗ８０において、電話機１０−２がオンフックしたならば、終話信号を電話交換機２０に送信する。時刻Ｗ８２において、電話交換機２０は、電話機１０−２に係るスイッチ部２５−２を開いて、電話回線３０−１を切断する。
【００２３】
例えば、通信中に電話機１０−２がオンフックした場合には、時刻Ｗ９０において電話交換機２０に終話信号を送信して待機状態に移行し、電話交換機２０はバス切断処理を行う。時刻Ｗ９２において、電話交換機２０は、電話機１０−２に係るスイッチ部２５−２を開いて、電話回線３０−２を切断する。
【００２４】
図３は、図２の発信時の動作を示すフローチャートである。
待機状態の場合、電話機１０−１は、電話回線３０−１から給電を受けていない。電話機１０−１は、電話機１０−１の受話器のオフフックやボタン押下げに伴う振動が発生したとき、その振動を振動受信部１４の振動センサが検知し、小型電池によって無線通信部１５に給電し、処理が開始する。ステップＳ１において、電話機１０−１は、無線通信部１５によって無線を介して発信信号を送信する。この処理は図２の時刻Ｗ２の処理に対応している。
【００２５】
ステップＳ２において、電話機１０−１は、電話交換機２０から電話回線３０−１を介して給電を受けて通常運用状態に遷移し、ステップＳ３において当該電話機１０−１を起動する。この処理は図２の時刻Ｗ６の処理に対応している。
【００２６】
ステップＳ４において、電話機１０−１は、受話器がオフフックしたか否かを判断する。受話器がオフフックしたならば、ステップＳ５において、電話機１０−１は、発呼信号を電話交換機２０に送信する。この処理は図２の時刻Ｗ１０の処理に対応している。ステップＳ６において、電話機１０−１は、局番号のダイヤル操作を待つ。局番号のダイヤル操作がされたならば、ステップＳ７において、電話交換機２０にダイヤル信号を送信する。この処理は図２の時刻Ｗ３０の処理に対応しているステップＳ８において、電話機１０−１は、電話交換機２０からの応答信号を受信したか否かを判断する。応答信号を受信したならば通信中に遷移し、図３の処理を終了する。この処理は図２の時刻Ｗ５０の処理に対応している。
【００２７】
初期状態の場合、電話交換機２０は、ステップＳ２０において、無線で発信信号を受信したか否かを判断する。この処理は図２の時刻Ｗ２の処理に対応している。無線で発信信号を受信したならば、ステップＳ２１において、電話交換機２０は、無線の発信信号に係るスイッチ部２５−１を閉じて電話回線３０−１を接続する。この処理は図２の時刻Ｗ６の処理に対応している。ステップＳ２２において、電話交換機２０は、電話回線３０−１を介して電話機１０−１からの発呼信号を受信したか否かを判断する。この処理は図２の時刻Ｗ１０の処理に対応している。発呼信号を受信したならば、ステップＳ２３において、電話交換機２０は、電話回線３０−１を介して電話機１０−１へ発信音を送信する。この処理は図２の時刻Ｗ２０の処理に対応している。
【００２８】
ステップＳ２４において、電話交換機２０は、電話回線３０−１を介して電話機１０−１からのダイヤル信号を受信したか否かを判断する。ダイヤル信号を受信したならばステップＳ２５において、ダイヤル信号に従ってパス接続処理を行う。この処理は図２の時刻Ｗ３０の処理に対応している。ステップＳ２６において、電話交換機２０は、電話回線３０−１を介して電話機１０−１へ呼出音を送信する。この処理は図２の時刻Ｗ４０の処理に対応している。ステップＳ２７において、電話交換機２０は、パス接続先の相手局が応答したか否かを判断する。相手局が応答したならば、ステップＳ２８において、電話機１０−１に応答信号を送信して通信中に遷移し、図３の処理を終了する。この処理は図２の時刻Ｗ５０の処理に対応している。
【００２９】
図４は、図２の発信後の発信側切断時の動作を示すフローチャートである。
通信中の場合、電話機１０−１は、ステップＳ６０において、受話器がオンフックしたか否かを判断する。受話器がオンフックしたならば、ステップＳ６１において電話回線３０−１を介して電話交換機２０に切断信号を送信する。この処理は図２の時刻Ｗ６０の処理に対応している。その後、電話交換機２０から電話回線３０−１が切断されたならば、ステップＳ６２において回線Ｉ／Ｆ部１１経由の給電は終了し、電話機１０−１は停止して待機状態となり、通信は終了する。この処理は図２の時刻Ｗ６２の処理に対応している。
【００３０】
通信中の場合、電話交換機２０は、ステップＳ７０において、電話回線３０−１を介して電話機１０−１から切断信号を受信したか否かを判断する。切断信号を受信したならば、ステップＳ７１において、パス切断処理を行う。この処理は図２の時刻Ｗ６０の処理に対応している。ステップＳ７２において初期状態に移行したのち、ステップＳ７３において該当するスイッチ部２５−１を開き、電話回線３０−１を切断する。この処理は図２の時刻Ｗ６２の処理に対応している。
【００３１】
図５は、図２の発信後の着信側切断時の動作を示すフローチャートである。
通信中に相手局が終話した場合、電話機１０−１は話中音を受信する。処理は図２の時刻Ｗ９０の処理に対応している。ステップＳ８０において、電話機１０−１は、受話器がオンフックしたか否かを判断する。受話器がオンフックしたならば、ステップＳ８１において、電話回線３０−１を介して電話交換機２０に切断信号を送信する。この処理は図２の時刻Ｗ１００の処理に対応している。その後、電話交換機２０から電話回線３０−１が切断されたならば、ステップＳ８２において回線Ｉ／Ｆ部１１経由の給電は終了し、電話機１０−１は停止して通信は終了する。この処理は図２の時刻Ｗ１０２の処理に対応している。
【００３２】
通信中の場合、電話交換機２０は、ステップＳ９０において相手局が終話したか否かを判断する。相手局が終話したならば、ステップＳ９１においてバス切断処理を行い、ステップＳ９２において電話回線３０−１を介して電話機１０−１に話中音を送信する。この処理は図２の時刻Ｗ９０の処理に対応している。
【００３３】
ステップＳ９３において、電話交換機２０は、電話回線３０−１を介して電話機１０−１から切断信号を受信したか否かを判断する。切断信号を受信したならば、ステップＳ９４において、初期状態へ移行する。この処理は図２の時刻Ｗ１００の処理に対応している。ステップＳ９５において該当するスイッチ部２５−１を開き、電話回線３０−１を切断する。この処理は図２の時刻Ｗ１０２の処理に対応している。
【００３４】
図６は、図２の着信時の動作を示すフローチャートである。
待機状態の場合、電話機１０−２は、ステップＳ１００において、電話回線３０−２及び回線Ｉ／Ｆ部１１経由で給電を受けて起動して処理を開始する。この処理は図２の時刻Ｗ３６の処理に対応している。ステップＳ１０１において、電話機１０−２は、電話交換機２０から呼出信号を受信したか否かを判断する。電話交換機２０から呼出信号を受信したならば、ステップＳ１０２において呼出音を鳴動する。この処理は図２の時刻Ｗ４０の処理に対応している。ステップＳ１０３において、電話機１０−２は、受話器がオフフックしたか否かを判断する。受話器がオフフックしたならば、ステップＳ１０４において応答信号を電話交換機２０に送信する。この処理は図２の時刻Ｗ５０の処理に対応している。
【００３５】
初期状態の場合、電話交換機２０は、ステップＳ１１０において、外線から着信したか否かを判断する。外線から着信したならば、ステップＳ１１１において該当するスイッチ部２５−２を閉じて、該当する電話回線３０−２を接続する。この処理は図２の時刻Ｗ３６の処理に対応している。
【００３６】
ステップＳ１１２において、電話交換機２０は、一定時間待機したのち、ステップＳ１１３において、着信種別に従い呼出信号を電話機１０−２に送信する。この処理は図２の時刻Ｗ４０の処理に対応している。ステップＳ１１４において、電話交換機２０は、電話機１０−２から応答信号を受信したか否かを判断する。応答信号を受信したならば、通信中に遷移する。この処理は図２の時刻Ｗ５０の処理に対応している。
【００３７】
図７は、図２の着信後の発信側切断時の動作を示すフローチャートである。
通信中の場合、電話機１０−２は、ステップＳ１２０において、受話器がオンフックしたか否かを判断する。受話器がオンフックしたならば、ステップＳ１２１において、電話回線３０−２を介して電話交換機２０に終話信号を送信する。その後、電話交換機２０によって電話回線３０−２が切断されたならば、ステップＳ１２２において回線Ｉ／Ｆ部１１経由の給電は終了し、電話機１０−２は停止する。
【００３８】
通信中の場合、電話交換機２０は、ステップＳ１３０において、相手局が終話したか否かを判断する。相手局が終話したならば、ステップＳ１３１においてバス切断処理を行い、ステップＳ１３２において電話回線３０−２を介して電話機１０−２に切断信号を送信する。この処理は図２の時刻Ｗ６０の処理に対応している。その後、ステップＳ１３３において電話回線３０−２を介して電話機１０−２に話中音を送信する。この処理は図２の時刻Ｗ７０の処理に対応している。
【００３９】
ステップＳ１３４において、電話交換機２０は、電話回線３０−２を介して電話機１０−２から終話信号を受信したか否かを判断する。終話信号を受信したならば、ステップＳ１３５において、初期状態へ移行する。この処理は図２の時刻Ｗ８０の処理に対応している。ステップＳ１３６において、該当するスイッチ部２５−１を開き、電話回線３０−２を切断する。この処理は図２の時刻Ｗ８２の処理に対応している。
【００４０】
図８は、図２の着信後の着信側切断時の動作を示すフローチャートである。
通信中の場合、電話機１０−２は、ステップＳ１４０において、受話器がオンフックしたか否かを判断する。受話器がオンフックしたならば、ステップＳ１４１において電話回線３０−２を介して電話交換機２０に終話信号を送信する。この処理は図２の時刻Ｗ９０の処理に対応している。その後、電話交換機２０から電話回線３０−２が切断されたならば、ステップＳ１４２において回線Ｉ／Ｆ部１１経由の給電は終了し、電話機１０−２は停止して通信は終了する。この処理は図２の時刻Ｗ９２の処理に対応している。
【００４１】
通信中の場合、電話交換機２０は、ステップＳ１５０において、電話回線３０−２を介して電話機１０−２から終話信号を受信したか否かを判定する。終話信号を受信したならば、ステップＳ１５１において、パス切断処理を行う。この処理は図２の時刻Ｗ９０の処理に対応している。ステップＳ１５２において、初期状態に移行したのち、ステップＳ１５３において、該当するスイッチ部２５−２を開き、電話回線３０−２を切断する。この処理は図２の時刻Ｗ９２の処理に対応している。
【００４２】
図９（ａ）（ｂ）は、従来技術と本発明の実施例１における給電チャートの概略例を示す図である。
【００４３】
図９（ａ）の従来技術における給電チャートでは、給電動作は常に行われており、受話器がオフフック又は着信した時刻Ｔ０以前、及び受話器がオンフックした時刻Ｔ１以降の待機状態に於いても一定の電力を消費していたことを示している。
【００４４】
図９（ｂ）の本発明の実施例１における給電チャートでは、通常運用状態のみ給電が行われ、時刻Ｔ０以前及び時刻Ｔ１以降の待機状態においては全く給電がおこなわれず、よって電力は消費されなかったことを示している。
【００４５】
（実施例１の効果）
本実施例１の待機電力削減電話システムによれば、次の（Ａ），（Ｂ）のような効果がある。
【００４６】
（Ａ）  各電話機１０（＝１０−１〜１０−３）は、発信時にはオフフックに伴う振動を検知して無線タグを動作させて電話交換機２０に通知し、着信時には電話交換機２０からの給電が開始されたのちに呼出信号を受信する。よって、各電話機１０は、待機時には電話交換機２０から電気的に切り離され全く電力を消費しない為に、従来の待機電力削減電話システムに比べて、大幅な節電が可能である。
【００４７】
（Ｂ）  各電話機１０（＝１０−１〜１０−３）の無線通信部１５に搭載した無線タグは非常に微弱な電力で動作し、従来の監視回路に比べ大幅な節電が可能である。
【実施例２】
【００４８】
（実施例２の構成）
本発明の実施例２における待機電力削減電話システムの構成は、図１に示す実施例１の構成と同一である。
【００４９】
（実施例２の動作）
図１０は、本発明の実施例２における接続動作のワークフローを示す図であり、実施例１を示す図２中の要素と共通の要素には共通の符号が付されている。
【００５０】
電話交換機２０と発信側電話機１０−１との通信を開始し切断するときの時刻Ｗ２〜Ｗ１０２のワークフローと、着信側電話機１０−２との通信を切断するときの時刻Ｗ６０〜Ｗ１０２のワークフローとは、実施例１と同一であるが、着信側電話機１０−２との通信を開始するときの時刻Ｗ３６〜Ｗ５０のワークフローが異なる。
【００５１】
例えば、待機状態の場合、電話機１０−２に着信したならば、時刻Ｗ３６において、電話交換機２０は、電話機１０−２に係るスイッチ部２５−２を閉じることにより、電話機１０−２との電話回線３０−２を接続する。時刻Ｗ３８において、電話機１０−２は電話交換機２０に無線で起動確認信号を送信する。以降は実施例１と同様に、時刻Ｗ４０において、電話交換機２０は、電話機１０−２に呼出信号を送信し、電話機１０−２は通常運用状態に遷移して呼出音を鳴らす。時刻Ｗ５０において、電話機１０−２は、オフフックに伴い応答信号を電話交換機２０に送信し、通信中に遷移する。
【００５２】
図１１は、図１０の着信時の動作を示すフローチャートであり、実施例１を示す図６中の要素と共通の要素には共通の符号が付されている。
【００５３】
待機状態の場合、電話機１０−２は、ステップＳ１００において電話回線３０−２と回線Ｉ／Ｆ部１１を介して給電を受けることによって起動することは、実施例１と同様であるが、起動が完了したときに、ステップＳ１０５において、電話交換機２０に無線で起動確認信号を送信する点が異なる。この処理は、図１０の時刻Ｗ３８の処理に対応している。以降、ステップＳ１０１〜Ｓ１０４の処理を実施例１と同様に行い、通信中に遷移する。
【００５４】
初期状態の場合、電話交換機２０は、ステップＳ１１０〜Ｓ１１１の処理を実施例１と同様に行い、ステップＳ１１５において、電話交換機２０は、無線を介して電話機１０−２からの起動確認信号を受信したか否かを判断する点が異なる。この処理は、図１０の時刻Ｗ３８の処理に対応している。起動確認信号を受信したならば、ステップＳ１１３〜１１４の処理を実施例１と同様に行う。
【００５５】
（実施例２の効果）
本実施例２の待機電力削減電話システムによれば、実施例１の効果に加えて、着信時の電話機１０−２の起動確認を確実におこなえることにより、待機電力削減電話システムが安定して動作するという効果が得られる。
【実施例３】
【００５６】
（実施例３の構成）
図１２は、本発明の実施例３における待機電力削減電話システムを示す概略の構成図であり、実施例１を示す図１中の要素と共通の要素には共通の符号が付されている。
【００５７】
本実施例３の待機電力削減電話システムは、実施例１とは異なる構成の複数の電話機１０Ｂ（＝１０Ｂ−１〜１０Ｂ−３）と、実施例１と同様の電話交換機２０と、電話交換機２０と複数の電話機１０Ｂとをそれぞれ接続する複数の電話回線３０（＝３０−１〜３０−３）とを有している。
【００５８】
各電話機１０Ｂは、実施例１と同様の回線Ｉ／Ｆ部１１と操作部１３とを有し、実施例１とは異なる構成の内部回路１２Ｂと振動受信部１４Ｂと無線通信部１５Ｂとを有し、更に電源の切断と接続を制御するスイッチ部１７と、商用交流電源を直流電源に変換して電話機１０Ｂに供給する外部電源１８とを有している。
【００５９】
外部電源１８で生成された直流電圧は、スイッチ部１７を介して内部回路１２Ｂと操作部１３と回線Ｉ／Ｆ部１１とに供給されている。振動受信部１４Ｂと無線通信部１５Ｂは、スイッチ部１７の切断と接続を制御する。
【００６０】
（実施例３の動作）
図１３は、本発明の実施例３における接続動作のワークフローを示す図であり、実施例１を示す図２中の要素と共通の要素には共通の符号が付されている。
【００６１】
電話交換機２０と、発信側の電話機１０Ｂ−１との通信を開始し切断するときの時刻Ｗ２〜Ｗ１０２のワークフローと、着信側電話機１０Ｂ−２との通信を切断するときの時刻Ｗ６０〜Ｗ１０２のワークフローは、実施例１と同一であるが、着信側の電話機１０Ｂ−２との通信を開始するときの時刻Ｗ３２〜Ｗ５０のワークフローが異なる。
【００６２】
例えば、待機状態の電話機１０Ｂ−２に着信した場合、時刻Ｗ３２において、電話交換機２０は、無線で着信認識信号を送信する。時刻Ｗ３４において、電話機１０Ｂ−２が無線で起動確認信号を送信したならば、時刻Ｗ３６において、電話交換機２０は、電話機１０Ｂ−２に係るスイッチ部２５−２を閉じることにより、電話機１０Ｂ−２との電話回線３０−２を接続する。以降は実施例１と同様に、時刻Ｗ４０において、電話交換機２０は、電話機１０Ｂ−２に呼出信号を送信し、電話機１０Ｂ−２は通常運用状態に遷移して呼出音を鳴らす。電話機１０Ｂ−２は、オフフックに伴い応答信号を電話交換機２０に送信し、通信中に遷移する。
【００６３】
図１４は、図１３の発信時の動作を示すフローチャートであり、実施例１を示す図３中の要素と共通の要素には共通の符号が付されている。
【００６４】
例えば、待機状態の場合、電話機１０Ｂ−１は、ステップＳ１において無線で発信信号を送信するのは実施例１と同様であるが、次にステップＳ９において、電話機１０Ｂ−１の受話器のオフフックやボタン押下げに伴う振動が発生したとき、その振動を振動受信部１４Ｂの振動センサが検知すると、スイッチ部１７を閉じて、外部電源１８の供給を開始する点が異なる。以降ステップＳ４〜Ｓ８の処理は実施例１と同様であり、電話交換機２０のステップＳ２０〜Ｓ２８の処理も実施例１と同様である。
【００６５】
図１５は、図１３の着信時の動作を示すフローチャートであり、実施例１を示す図６中の要素と共通の要素には共通の符号が付されている。
【００６６】
例えば、待機状態の場合、電話機１０Ｂ−２は、ステップＳ１０６において、無線で着信認識信号を受信したか否かを判断する。この処理は、図１３の時刻Ｗ３２の処理に対応している。着信認識信号を受信したならば、ステップＳ１０７において、スイッチ部１７を閉じて外部電源１８の供給を開始して起動し、ステップＳ１０８において起動確認信号を無線で送信する。この処理は図１３の時刻Ｗ３４の処理に対応している。以降、ステップＳ１０１〜Ｓ１０４の処理を実施例１と同様に行い、通信中に遷移する。
【００６７】
初期状態の場合、電話交換機２０は、ステップＳ１１０の処理を実施例１と同様に行うが、ステップＳ１１６において、電話交換機２０は、無線で該当する電話機１０Ｂ−２に着信認識信号を送信する点が異なる。この処理は図１３の時刻Ｗ３２の処理に対応している。ステップＳ１１７において、電話機１０Ｂ−２の起動確認信号を無線で受信したか否かを判断する。電話機１０Ｂ−２の起動確認信号を無線で受信したならば、ステップＳ１１１において、該当するスイッチ部２５−２を閉じて電話回線３０−２を接続し、以降はステップＳ１１３〜Ｓ１１４の処理を実施例１と同様に行う。
【００６８】
（実施例３の効果）
本実施例３の待機電力削減電話システムによれば、電話回線３０（＝３０−１〜３０−３）を介して給電を受ける電話機１０の場合だけではなく、外部電源１８で駆動する電話機１０Ｂ（＝１０Ｂ−１〜１０Ｂ−３）の場合であっても待機時の電力を抑えることが可能となる。
【００６９】
（変形例）
本発明は、上記実施例に限定されず、種々の利用形態や変形が可能である。この利用形態や変形例としては、例えば、次の（ａ）〜（ｇ）のようなものがある。
【００７０】
（ａ）  実施例１〜３では無線タグのプロトコルで無線の送受信を行ったが、無線ＬＡＮ（IEEE802.11b/a/g/n）、Bluetooth（登録商標）（IEEE802.15.1）、ZigBee（登録商標）（IEEE802.15.4）、携帯電話関連の主たる標準（ARIB-STD-27,28,35,36,T53,T63,T64,T94,T95）等の双方向での通信が可能なプロトコルであれば同様の効果が得られる。
【００７１】
（ｂ）  実施例１〜３は、振動受信部１４，１４Ｂが、電話機１０，１０Ｂの受話器のオフフックやボタン押下げに伴う振動を検知し、振動受信部１４，１４Ｂが内蔵する小型電池の電力を無線通信部１５，１５Ｂに給電して、無線送信する例である。振動受信部１４，１４Ｂは、振動発電素子によって振動を電力に変換して無線通信部１５，１５Ｂに給電して、無線送信してもよい。振動発電素子は振動発電手段である。これにより実施例１〜３の効果に加えて更に、小型ボタン電池の交換が不要となるという効果が得られる。
【００７２】
（ｃ）  振動受信部１４，１４Ｂを、可視光を電力に変換する太陽電池と振動センサで構成し、電話機１０，１０Ｂの受話器のオフフックやボタン押下げに伴う振動が発生したとき、その振動を振動センサで検知し、太陽電池が発生した電力を無線通信部１５，１５Ｂに給電して無線送信してもよい。これにより実施例１〜３の効果に加えて更に、小型ボタン電池の交換が不要となるという効果が得られる。
【００７３】
（ｄ）  振動受信部１４，１４Ｂを、大容量コンデンサや二次電池等と振動センサとで構成し、通常動作状態のときに外部電源１８や電話回線３０から大容量コンデンサや二次電池等に電力を蓄えておき、待機状態のときに大容量コンデンサや二次電池に蓄えた電力で振動センサを動作させ、電話機１０，１０Ｂの受話器のオフフックやボタン押下げに伴う振動を振動センサで検知したら、大容量コンデンサや二次電池に蓄えた電力で無線送信してもよい。大容量コンデンサや二次電池は蓄電手段である。これにより実施例１〜３の効果に加えて更に、小型ボタン電池の交換が不要となるという効果が得られる。
【００７４】
（ｅ）  振動受信部１４，１４Ｂを、可視光を電力に変換する太陽電池と大容量コンデンサや二次電池等と振動センサとで構成し、可視光を電力に変換する太陽電池の電力を大容量コンデンサ等に蓄えておき、この大容量コンデンサに蓄えた電力で振動センサを動作させ、電話機１０，１０Ｂの受話器のオフフックやボタン押下げに伴う振動を振動センサで検知したら、大容量コンデンサや二次電池に蓄えた電力で無線送信してもよい。大容量コンデンサや二次電池は蓄電手段である。これにより実施例１〜３の効果に加えて更に、小型ボタン電池の交換が不要となるという効果と、夜間であっても動作可能であるという効果が得られる。
【００７５】
（ｆ）  実施例３のように、外部電源１８を備えた機器であれば、電話交換機２０と電話機１０Ｂとの間の電話回線３０は、給電機能を有さない有線通信路又は無線通信路であってもよい。これにより、実施例３と同様の効果が得られる。
（ｇ）  実施例２では、着信側電話機において起動確認信号を電話交換機に送信していたが、発信側電話機において、起動確認信号を電話交換機に送信してもよい。発信側の電話機の起動確認を確実におこなえることにより、待機電力削減電話システムが安定して動作するという効果が得られる。
【符号の説明】
【００７６】
１０，１０−１〜１０−３，１０Ｂ，１０Ｂ−１〜１０Ｂ−３  電話機
１１  回線Ｉ／Ｆ部
１２，１２Ｂ  内部回路
１３  操作部
１４，１４Ｂ  振動受信部
１５，１５Ｂ  無線通信部
１６  アンテナ
２０  電話交換機
２１  制御部
２２  無線通信部
２３  アンテナ
２４  電源部
２５，２５−１〜２５−３  スイッチ部
２６，２６−１〜２６−３  回線Ｉ／Ｆ部
３０，３０−１〜３０−３  電話回線
【図１】
0005445122.tif 000002
【図２】
0005445122.tif 000003
【図３】
0005445122.tif 000004
【図４】
0005445122.tif 000005
【図５】
0005445122.tif 000006
【図６】
0005445122.tif 000007
【図７】
0005445122.tif 000008
【図８】
0005445122.tif 000009
【図９】
0005445122.tif 000010
【図１０】
0005445122.tif 000011
【図１１】
0005445122.tif 000012
【図１２】
0005445122.tif 000013
【図１３】
0005445122.tif 000014
【図１４】
0005445122.tif 000015
【図１５】
0005445122.tif 000016